(57)【特許請求の範囲】
【請求項１】
目地部を介して設けられた左右の建物の天井躯体に隙間を介して設けられた左右の天井材と、この左右の天井材間を覆う一側部が地震等によって目地部が狭くなると前記天井材と他方の天井躯体間の隙間に侵入することができる、傾斜面に形成された目地天井材と、この目地天井材の他側部を一方の天井躯体に上方への移動を可能に取付ける複数個の取付け金具と、前記目地天井材の上面に設けられた複数個の左右方向のガイドレール、このガイドレールの上部に一端部が一方の天井躯体に取付けられた伸縮リンク、この伸縮リンクを常時伸長方向に付勢する付勢スプリング、前記伸縮リンクに上端部が取付けられ、下端部が前記ガイドレールをスライド移動するスライダーが取付けられた吊り下げワイヤーおよび前記伸縮リンクの他端部に一端部が取付けられ他端部が一方の天井躯体に取付けられた該伸縮リンクの他端部が下方へ下がるのを阻止する引張りワイヤーとからなる目地天井材支持機構とを備えることを特徴とする天井用目地装置。
【請求項２】
目地部を介して設けられた左右の建物の天井躯体に隙間を介して設けられた左右の天井材と、この左右の天井材間を覆う一側部が地震等によって目地部が狭くなると前記天井材と他方の天井躯体間の隙間に侵入することができる、傾斜面に形成された目地天井材と、この目地天井材の他側部を一方の天井躯体に上方への移動を可能に取付ける複数個の取付け金具と、前記目地天井材の上面に設けられた複数個の左右方向のガイドレール、このガイドレールの上部に一端部が一方の天井躯体に取付けられた四角枠状の伸縮リンク、この伸縮リンクを常時伸長方向に付勢する付勢スプリング、前記伸縮リンクに上端部が取付けられ下端部が前記ガイドレールをスライド移動するスライダーが取付けられた吊り下げワイヤーおよび前記伸縮リンクの他端部に一端部が取付けられ、他端部が一方の天井躯体に取付けられた該伸縮リンクの他端部が下方へ下がるのを阻止する引張りワイヤーとからなる目地天井材支持機構とを備えることを特徴とする天井用目地装置。
【請求項３】
目地部を介して設けられた左右の建物の天井躯体に隙間を介して設けられた左右の天井材と、この左右の天井材間を覆う一側部が地震等によって目地部が狭くなると前記天井材と他方の天井躯体間の隙間に侵入することができる、傾斜面に形成された目地天井材と、この目地天井材の他側部を一方の天井躯体に上方への移動を可能に取付ける複数個の取付け金具と、前記目地天井材の上面に設けられた複数個の左右方向のガイドレール、このガイドレールの上部に一端部が一方の天井躯体に取付けられたパンタグラフ形状の伸縮リンク、この伸縮リンクを常時伸長方向に付勢する付勢スプリング、前記伸縮リンクの中央部の枢支部に上端部が取付けられ、下端部が前記ガイドレールをスライド移動するスライダーが取付けられた吊り下げワイヤーおよび前記伸縮リンクの他端部に一端部が取付けられ他端部が一方の天井躯体に取付けられた該伸縮リンクの他端部が下方へ下がるのを阻止する引張りワイヤーとからなる目地天井材支持機構とを備えることを特徴とする天井用目地装置。
【請求項４】
目地部を介して設けられた左右の建物の天井躯体に隙間を介して設けられた左右の天井材と、この左右の天井材間を覆う一側部が地震等によって目地部が狭くなると前記天井材と他方の天井躯体間の隙間に侵入することができる、傾斜面に形成された目地天井材と、この目地天井材の他側部を一方の天井躯体に上方への移動を可能に取付ける複数個の取付け金具と、前記目地天井材の上面に設けられた複数個の左右方向で弧状のガイドレール、このガイドレールの上部に一端部が一方の天井躯体に４５度程回動可能に取付けられた回動リンク、この回動リンクを常時伸長方向に付勢する付勢スプリング、前記回動リンクに上端部が取付けられ、下端部が前記ガイドレールをスライド移動するスライダーが取付けられた吊り下げワイヤーとからなる目地天井材支持機構とを備えることを特徴とする天井用目地装置。
【発明の詳細な説明】
【０００１】
【発明の属する技術分野】
本発明は目地部を介して設けられた左右の建物の天井部分を覆う天井用目地装置に関する。
【０００２】
【従来の技術】
従来、この種の天井用目地装置は左右の建物の天井躯体に取付けられた左右の固定天井材の両端部寄りの部位を、両端部で重なり合うように目地天井材で覆うように構成されている。
【０００３】
【発明が解決しようとする課題】
従来の天井用目地装置は目地天井材の両端部が左右の固定天井材より突出した状態となるため、見苦しくなるという欠点があるとともに、地震等によって左右の建物が揺れ動いた場合、目地天井材や固定天井材の目地部側の端部が損傷しやすいという欠点があった。
【０００４】
本発明は以上のような従来の欠点に鑑み、左右の天井材と目地天井材とが同一面になるように設置することができるとともに、地震等によって目地部が狭くなった場合には目地天井材を天井躯体と天井材との間の隙間に目地天井材支持機構がじゃまになることなく収納して、その揺れ動きを吸収し、目地部が広くなった場合でも目地天井材を元の状態に確実に保つことができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物の天井躯体に隙間を介して設けられた左右の天井材と、この左右の天井材間を覆う一側部が地震等によって目地部が狭くなると前記天井材と他方の天井躯体間の隙間に侵入することができる、傾斜面に形成された目地天井材と、この目地天井材の他側部を一方の天井躯体に上方への移動を可能に取付ける複数個の取付け金具と、前記目地天井材の上面に設けられた複数個の左右方向のガイドレール、このガイドレールの上部に一端部が一方の天井躯体に取付けられた伸縮リンク、この伸縮リンクを常時伸長方向に付勢する付勢スプリング、前記伸縮リンクに上端部が取付けられ、下端部が前記ガイドレールをスライド移動するスライダーが取付けられた吊り下げワイヤーおよび前記伸縮リンクの他端部に一端部が取付けられ、他端部が一方の天井躯体に取付けられた、該伸縮リンクの他端部が下方へ下がるのを阻止する引張りワイヤーとからなる目地天井材支持機構とで天井用目地装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介して設けられた左右の建物３、３の天井部分を覆う本発明の天井用目地装置で、この天井用目地装置１は前記左右の建物３、３の天井躯体３ａ、３ａに隙間４、４を介して複数個の吊り下げ具５によって固定的に取付けられた他方の目地部２側の端部が傾斜面６の左右の天井材７、７Ａと、この左右の天井材７、７Ａ間を覆う一側部が地震等によって目地部２が狭くなると、前記傾斜面６の天井材７と他方の天井躯体３ａ間の隙間４に侵入することができる傾斜面８に形成された目地天井材９と、この目地天井材９の他側部を前記一方の天井躯体３ａに上方への移動を可能に取付ける複数個の取付け金具１０と、前記目地天井材９を地震等によって目地部２が狭くなると、該目地天井材９の一側部がスムーズに前記隙間４へ侵入し、目地部２が広くなっても目地天井材９を元の水平状態に保つことができる目地天井材支持機構１１とで構成されている。
【０００９】
前記複数個の取付け金具１０は前記目地天井材９の他側部に所定間隔で上方へ突出するように固定された複数個の作動杆１２と、これらの作動杆１２がスライド移動可能に貫通する貫通孔１３が形成された、該作動杆１２の上部寄りの部位である一方の天井躯体３ａに複数本のビス１４等によってそれぞれ固定された支持金具１５と、この支持金具１５の上面に支持されるように前記作動杆１２の上端部に固定された支持片１６とで構成されている。
【００１０】
前記目地天井材支持機構１１は前記目地天井材９の上面に設けられた複数個の左右方向のリップミゾ形鋼形状のガイドレール１７と、このガイドレール１７の上部にそれぞれ一端部が一方の天井躯体３ａに取付け金具１８を介して取付けられた四角枠形状の伸縮リンク１９と、この伸縮リンク１９を常時他方の天井躯体３ａに当接するように伸長方向に付勢する付勢スプリング２０と、前記伸縮リンク１９に上端部が取付けられ、下端部が前記ガイドレール１７をスライド移動するローラー等のスライダー２１が取付けられた吊り下げワイヤー２２、２２と、前記伸縮リンク１９の他端部に一端部が取付けられ、他端部が一方の天井躯体３ａに取付けられた、該伸縮リンク１９の他端部が下方へ下がるのを阻止する引張りワイヤー２３とで構成されている。
【００１１】
上記構成の天井用目地装置１は、平常時は左右の天井材７、７Ａ間の目地部２を段差なく、目地天井材９で覆われた状態となる。
地震等によって目地部２が広くなった場合には、図８に示すように目地天井材９が目地天井材支持機構１１によって、ほぼ水平状態で一方の天井躯体３ａと一体になって移動し、その揺れ動きを吸収する。
【００１２】
また、地震等によって目地部２が狭くなった場合には、図７に示すように天井材７と他方の天井躯体３ａ間の隙間４に目地天井材９の一側部の傾斜面８が形成された部位が侵入して、その揺れ動きを吸収する。
この時、目地天井材支持機構１１の伸縮リンク１９は他方の天井躯体３ａの押し圧によって収縮するとともに、吊り下げワイヤー２２、２２の下部が目地天井材９のガイドレール１７に沿ってスライド移動して、該吊り下げワイヤー２２、２２が隙間４内に入り込むことがなく、スムーズに目地天井材９をスライド移動させることができる。
【００１３】
【発明の異なる実施の形態】
次に、図９ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図９ないし図１１に示す本発明の第２の実施の形態において、前記本発明の第１の実施の形態と主に異なる点は、一方の天井躯体３ａの上部寄りの部位に固定したガイドレール２４と、このガイドレール２４にローラー２５を介してスライド移動可能に一端部が支持され、傾斜状態で配置される他端部が伸縮リンク１９の他端枢支部に枢支されたバー部材２６と、このバー部材２６の一端部寄りの部位に一端部が取付けられ、他端部が伸縮リンク１９を介して目地天井材９のガイドレール１７にスライド移動可能に取付けられたスプリング２７が介装された吊り上げワイヤー２２Ａを用いた、目地部２が狭くなると目地天井材９の後端部を上方へ移動させる吊り上げ機構２８を用いた目地天井材支持機構１１Ａを用いた点で、このような目地天井材支持機構１１Ａを用いて構成した天井用目地装置１Ａにしても、前記本発明の第１の実施の形態と同様な作用効果が得られる。
【００１５】
図１２ないし図１４に示す本発明の第３の実施の形態において、前記本発明の第１の実施の形態と主に異なる点は、３個の四角枠が形成されるパンタグラフ形状の伸縮リンク１９Ａを用いるとともに、該伸縮リンク１９Ａの中央枢支部２９、２９に吊り下げワイヤー２２、２２を取付けた目地天井材支持機構１１Ｂを用いた点で、このような目地天井材支持機構１１Ｂを用いて構成した天井用目地装置１Ｂにしても、前記本発明の第１の実施の形態と同様な作用効果が得られる。
【００１６】
図１５ないし図１７に示す本発明の第４の実施の形態において、前記本発明の第１の実施の形態と主に異なる点は、左右の天井材７Ａ、７Ａと目地天井材９Ａとの間に三角形状の凹部３０、３０ができるように形成した点で、このように構成した目地天井材９Ａを用いることにより、他方の天井材７Ａの目地部側端部を傾斜面に形成しないものを用いることができる天井用目地装置１Ｃにできる。
【００１７】
図１８ないし図２０に示す本発明の第５の実施の形態において、前記本発明の第２の実施の形態と主に異なる点は、伸縮リンク１９の一方のアームを突出させてバー部材２６として使用できるようにした吊り上げ機構２８Ａにした目地天井材支持機構１１Ｃを用いた点で、このような目地天井材支持機構１１Ｃを用いて構成した天井用目地装置１Ｄにしても、前記本発明の第２の実施の形態と同様な作用効果が得られる。
【００１８】
図２１ないし図２３に示す本発明の第６の実施の形態において、前記本発明の第１の実施の形態と主に異なる点は、目地天井材９の上面に設けられた複数個の左右方向で弧状のガイドレール１７Ａと、このガイドレール１７Ａの上部に一端部が一方の天井躯体３ａに固定されたストッパー３１によって４５度程回動可能にヒンジ部材等によって取付けられた先端部に他方の天井躯体３ａをスムーズに移動することができるローラー３２を備える回動リンク３３と、この回動リンク３３を常時伸長方向に付勢する付勢スプリング２０と、前記回動リンク３３に上端部が取付けられ、下端部が前記ガイドレール１７Ａをスライド移動するスライダー２１が取付けられた吊り下げワイヤー２２とからなる目地天井材支持機構１１Ｄを用いた点で、このような目地天井材支持機構１１Ｄを用いて構成した天井用目地装置１Ｅにしても、前記本発明の第１の実施の形態と同様な作用効果が得られる。
【００１９】
【発明の効果】
以上の説明から明らかなように、本発明にあっては次に列挙する効果が得られる。
【００２０】
（１）目地部を介して設けられた左右の建物の天井躯体に隙間を介して設けられた左右の天井材と、この左右の天井材間を覆う一側部が地震等によって目地部が狭くなると前記天井材と他方の天井躯体間の隙間に侵入することができる、傾斜面に形成された目地天井材と、この目地天井材の他側部を一方の天井躯体に上方への移動を可能に取付ける複数個の取付け金具と、前記目地天井材の上面に設けられた複数個の左右方向のガイドレール、このガイドレールの上部に一端部が一方の天井躯体に取付けられた伸縮リンク、この伸縮リンクを常時伸長方向に付勢する付勢スプリング、前記伸縮リンクに上端部が取付けられ、下端部が前記ガイドレールをスライド移動するスライダーが取付けられた吊り下げワイヤーおよび前記伸縮リンクの他端部に一端部が取付けられ他端部が一方の天井躯体に取付けられた該伸縮リンクの他端部が下方へ下がるのを阻止する引張りワイヤーとからなる目地天井材支持機構とで構成されているので、目地天井材と左右の天井材とを同一面に設定することができる。
したがって、従来のように段差がなく、美観の向上を図ることができる。
【００２１】
（２）前記（１）によって、目地部が地震等によって狭くなった場合、目地天井材の傾斜面に形成された一側部が天井材と他方の天井躯体との間の隙間に侵入して、その揺れ動きを吸収することができる。
【００２２】
（３）前記（１）によって、目地天井材の傾斜面に形成された一側部が隙間へ侵入しても、目地天井材支持機構がじゃますることなく、スムーズに侵入させることができる。
【００２３】
（４）前記（１）によって、目地部が広くなっても目地天井材支持機構によって、目地天井材をほぼ水平状態に保持することができる。
【００２４】
（５）請求項２、３、４も前記（１）〜（４）と同様な効果が得られる。
【図面の簡単な説明】
【図１】本発明の第１の実施の形態の平面図。
【図２】本発明の第１の実施の形態の底面図。
【図３】図１の３−３線に沿う拡大断面図。
【図４】本発明の第１の実施の形態の目地天井材の説明図。
【図５】本発明の第１の実施の形態の取付け金具の説明図。
【図６】本発明の第１の実施の形態の目地天井材支持機構の説明図。
【図７】本発明の第１の実施の形態の目地部が狭くなった動作説明図。
【図８】本発明の第１の実施の形態の目地部が広くなった動作説明図。
【図９】本発明の第２の実施の形態の平面図。
【図１０】図９の１０−１０線に沿う拡大断面図。
【図１１】本発明の第２の実施の形態の目地天井材支持機構の説明図。
【図１２】本発明の第３の実施の形態の平面図。
【図１３】図１２の１３−１３線に沿う拡大断面図。
【図１４】本発明の第３の実施の形態の目地天井材支持機構の説明図。
【図１５】本発明の第４の実施の形態の平面図。
【図１６】図１５の１６−１６線に沿う拡大断面図。
【図１７】本発明の第４の実施の形態の目地天井材の説明図。
【図１８】本発明の第５の実施の形態の平面図。
【図１９】図１８の１９−１９線に沿う拡大断面図。
【図２０】本発明の第５の実施の形態の目地天井材支持機構の説明図。
【図２１】本発明の第６の実施の形態の平面図。
【図２２】図２１の２２−２２線に沿う拡大断面図。
【図２３】本発明の第６の実施の形態の目地天井材支持機構の説明図。
【符号の説明】
１、１Ａ〜１Ｅ：天井用目地装置、
２：目地部、            ３：建物、
４：隙間、              ５：吊り下げ具、
６：傾斜面、            ７、７Ａ：天井材、
８：傾斜面、            ９、９Ａ：目地天井材、
１０：取付け金具、
１１、１１Ａ〜１１Ｄ：目地天井材支持機構、
１２：作動杆、          １３：貫通孔、
１４：ビス、            １５：支持金具、
１６：支持片、          １７、１７Ａ：ガイドレール、
１８：取付け金具、      １９、１９Ａ：伸縮リンク、
２０：付勢スプリング、  ２１：スライダー、
２２、２２Ａ：吊り下げワイヤー、
２３：引張りワイヤー、  ２４：ガイドレール、
２５：ローラー、        ２６：バー部材、
２７：スプリング、      ２８、２８Ａ：吊り上げ機構、
２９：中央枢支部、      ３０：凹部、
３１：ストッパー、      ３２：ローラー、
３３：回動リンク。
【図１】
0003817168.tif 000002
【図２】
0003817168.tif 000003
【図３】
0003817168.tif 000004
【図４】
0003817168.tif 000005
【図５】
0003817168.tif 000006
【図６】
0003817168.tif 000007
【図７】
0003817168.tif 000008
【図８】
0003817168.tif 000009
【図９】
0003817168.tif 000010
【図１０】
0003817168.tif 000011
【図１１】
0003817168.tif 000012
【図１２】
0003817168.tif 000013
【図１３】
0003817168.tif 000014
【図１４】
0003817168.tif 000015
【図１５】
0003817168.tif 000016
【図１６】
0003817168.tif 000017
【図１７】
0003817168.tif 000018
【図１８】
0003817168.tif 000019
【図１９】
0003817168.tif 000020
【図２０】
0003817168.tif 000021
【図２１】
0003817168.tif 000022
【図２２】
0003817168.tif 000023
【図２３】
0003817168.tif 000024